(57)【特許請求の範囲】
【請求項１】
アナログ外線を複数回線接続する主装置に接続され、主装置の電源で動作し、通話回路と、データ送受信回路、機能ボタン、外線の着信を表示する着信表示素子等を具備する停電機能付ボタン電話機において、
主装置の電源が通電時に外線着信があると主装置の電源からの着信信号電流が流れ着信表示する着信表示素子を備え、該着信表示素子は、局に接続された外線間をリンガ、ダイオードを直接接続した回路を介して接続され、主装置の電源が停電時に外線着信があると局からの着信信号電流が流れて着信表示するものであり、前記ダイオードは、局からの前記着信信号電流をリンガに流すが、主装置の電源が通電時には逆方向に電圧がかかる接続とし、前記着信表示素子とリンガに局からの前記着信信号電流を流さない構成とすることを特徴とする停電機能付ボタン電話機。
【請求項２】
請求項１記載の停電機能付ボタン電話機において、
主装置の電源が通電時には自動的に動作し、かつ、主装置の電源が停電時には手動で動作し、外線と前記電話機内の通話回路とを接続するスイッチを有することを特徴とする停電機能付ボタン電話機。
【発明の詳細な説明】
【０００１】
【発明の属する技術分野】
本発明は、停電機能付ボタン電話機であり、特に、停電時においても着信表示可能な表示部を有する停電機能付ボタン電話機に関する。
【０００２】
【従来の技術】
電話機は、音声通信のために不特定多数の人が直接使用する通信機器で、音声を伝送するための電気音響変換と防側音の機能及び交換機との間で選択信号、呼出し信号などを授受する機能を有している。そして、電話機の１つとして、ボタン電話機が知られている。ボタン電話機は、複数のアナログ電話回線を収容し、それらの回線を内線電話機で共同利用することと、内線電話機間の相互通話を可能としたものである。したがって、回線の利用コストを低減できるほか、いずれの内線電話機でも局線を補足できるので、代理応答ができる。
【０００３】
ホームテレホンやビジネスホンのようなシステム形電話装置、あるいはボタン電話装置は、任意の電話機から任意の局線に対しての発着信や通話中の局線の保留、他の電話機への通話の転送などの機能により、１乃至複数の局線を複数の電話機で効率的に使用することを可能とした装置である。
【０００４】
システム形電話装置の制御方式としては、制御信号をディジタル化し、マイクロプロセッサで処理する方式が採用されている。配線方式には、同一のケーブル上に複数の電話機を接続するバス形と主装置から各電話機へ個別に配線するスター形等がある。
【０００５】
ボタン電話機が使用されるバス形システムの一例を説明する。バス形システムは、図３に示すように、主装置１１、パソコン１２、標準電話機１３、留守番機能及び停電機能付電話機１４、デジタルコードレス電話子機１５、カラーＬＣＤ（液晶ディスプレイ）表示付留守番電話機１６、ＦＡＸ（ファクシミリ）装置１７等及びバス１８からなる。パソコン１２はパソコンアダプタ１２１を介して接続される。デジタルコードレス電話子機１５はデジタルコードレスホン接続装置１５１を介して接続される。カラーＬＣＤ表示付留守番電話機１６は、映像線１６１を使用し、ＴＶアダプタ１６２を介して接続されるとともに、カラーカメラドアホン１６３を接続することができる。ＦＡＸ装置１７は電話機アダプタ１７１を介して接続される。バス１８は、主装置１１と、パソコン１２、標準電話機１３、留守番停電電話機１４、デジタルコードレス電話子機１５、カラーＬＣＤ表示付留守番電話機１６、ＦＡＸ装置１７等とを接続している。
【０００６】
電話機における発・着信、通話の電話基本機能は、停電時も使用できるよう局から供給される電力で動作可能なように設計されており、局からの電力で着信を表示する停電機能付ボタン電話機が知られている。従来の停電機能付ボタン電話機における着信表示回路は、図４に示すように、通話回路２´、スイッチ３´、リンガ４´、ブザー５´、通電時ＬＥＤ（発光ダイオード）７１´、７２´、停電時ＬＥＤ９１´、９２´、ＬＥＤドライバー８´等を有する。通話回路２´は、局線から着信があるとスイッチ３´により、外線１又は外線２に接続される。このスイッチ３´は、通電時は自動的に動作するが、停電時は手動で動作させる。リンガ４´は、停電時に着信があると、局線からの電流が流れ、ブザー５´を鳴らす。通電時ＬＥＤ７１´、７２´は、通電時に着信信号があると、点灯して着信を表示する素子であり、外線１から着信があると通電時ＬＥＤ７１´が点灯し、外線２から着信があると通電時ＬＥＤ７２´が点灯する。停電時ＬＥＤ９１´、９２´は、停電時に着信信号があると電流が流れ、点灯して着信を表示する素子であり、外線１から着信すると停電時ＬＥＤ９１´が点灯し、外線２から着信すると停電時ＬＥＤ９２´が点灯する。ＬＥＤドライバー８´は、通電時に着信信号があると、ＶＣＣ（電圧−電流制御装置）からの信号により、通電時ＬＥＤ７１´又は７２´を点灯させる。
【０００７】
従来の停電機能付ボタン電話機においては、通電時の着信表示素子及び停電時の着信表示素子として、通電時ＬＥＤ７１´、７２´及び停電時ＬＥＤ９１´、９２´を使用するので、図５（ａ）及び図５（ｂ）に示すように、着信表示素子を複数組用意する必要があり、そのため、ＬＥＤを取付る着信表示部７´の面積が図５（ｂ）に示すように、大きくせざるを得ない等の問題点があった。なお、図５（ａ）は、通電時ＬＥＤと停電時ＬＥＤとを離す例であり、図５（ｂ）は、通電時ＬＥＤ７１´、７２´と停電時ＬＥＤ９１´、９２´とを近くに設ける例である。通電時ＬＥＤ７１´、７２´と停電時ＬＥＤ９１´、９２´とを図５（ａ）に示すように離すと、着信表示部７´、９´が複数個所となり、外線の着信を見落とす可能性が増え、また、通電時ＬＥＤ７１´、７２´と停電時ＬＥＤ９１´、９２´とを近くに設けると、着信表示部７´における着信表示素子の占める面積が大きくなってしまうという問題点があった。
【０００８】
【発明が解決しようとする課題】
本発明は、このような問題点を解決するものであり、着信表示素子を１組とすることにより、着信表示部の面積を広くする必要がない停電機能付ボタン電話機を提供することである。
【０００９】
【課題を解決するための手段】
本発明は、アナログ外線を複数回線接続する主装置に接続され、主装置の電源で動作し、通話回路と、データ送受信回路、機能ボタン、外線の着信を表示する着信表示素子等を具備する停電機能付ボタン電話機において、主装置の電源が通電時に外線着信があると主装置の電源からの着信信号電流が流れ着信表示する着信表示素子を備え、該着信表示素子は、局に接続された外線間をリンガ、ダイオードを直接接続した回路を介して接続され、主装置の電源が停電時に外線着信があると局からの着信信号電流が流れて着信表示するものであり、前記ダイオードは、局からの前記着信信号電流をリンガに流すが、主装置の電源が通電時には逆方向に電圧がかかる接続とし、前記着信表示素子とリンガに局からの前記着信信号電流を流さない構成とする停電機能付ボタン電話機である。
【００１０】
また、本発明は、主装置の電源が通電時には自動的に動作し、かつ、主装置の電源が停電時には手動で動作し、外線と前記電話機内の通話回路とを接続するスイッチを有する停電機能付ボタン電話機である。
【００１３】
【発明の実施の形態】
本発明の発明の実施の形態を説明する。
本発明の停電機能付ボタン電話機の一実施例について、図１〜図３を用いて説明する。図１は、実施例の停電機能付ボタン電話機の回路の説明図である。図２は、実施例の停電機能付ボタン電話機の着信表示部の説明図である。図３は、停電機能付電話機等を使用するバス形システムの一例の説明図である。
【００１４】
本発明の停電機能付ボタン電話機が使用されるバス形システムの一例を説明する。このバス形システムは、図３に示すように、従来例と同様であり、主装置１１と、パソコン１２と、標準電話機１３と、留守番機能及び停電機能付電話機１４と、デジタルコードレス電話子機１５と、カラーＬＣＤ表示付留守番電話機１６と、ＦＡＸ装置１７等及びバス１８を有している。主装置１１は、パソコン１２、標準電話機１３、留守番停電電話機１４、デジタルコードレス電話子機１５、カラーＬＣＤ表示付留守番電話機１６、ＦＡＸ装置１７等とはバス１８で接続されている。パソコン１２はパソコンアダプタ１３を介してバス１８に接続される。デジタルコードレス電話子機１５はデジタルコードレスホン接続装置１５１を介してバス１８に接続される。カラーＬＣＤ表示付留守番電話機１６は、映像線１６１を使用し、ＴＶアダプタ１６２を介してバス１８に接続されるとともに、カラーカメラドアホン１６３を接続することができる。ＦＡＸ装置１７は電話機アダプタ１７１を介してバス１８に接続される。
【００１５】
実施例を説明する。本実施例の停電機能付ボタン電話機は、このようなバス形システムに使用され、図１に示すように、通話回路２、スイッチ３、リンガ４、ブザー５、ダイオード６、ＬＥＤ７１、７２、ＬＥＤドライバー８等を有する。通話回路２は、外線から着信があるとスイッチ３により、外線１又は外線２に接続される。このスイッチ３は、通電時は自動的に動作するが、停電時は手動で動作させる。リンガ４は、停電時に着信があると、局からの電流が流れ、ブザー５を鳴らす。ダイオード６は、停電時に着信があると局からの電流を流すが、通電時には着信があっても、逆方向に電圧がかかるため、リンガ４に電流は流れず、ブザー４を鳴らすことはない。ＬＥＤ７１、７２は、着信信号があると電流が流れ、点灯して着信を表示する素子である。ＬＥＤドライバー８は、通電時に着信信号があると、ＬＥＤ７１、７２を点灯させるＶＣＣ（電圧−電流制御装置）からの着信信号電流を流す。
【００１６】
本実施例の着信表示について、図１を用いて説明する。外線１から着信がある場合を説明する。通電時、点線で示すように外線１からの着信信号を受けて主装置のＶＣＣからの着信信号電流でＣＰＵ制御部及びＬＥＤドライバ８により、ＬＥＤを点灯させて、外線１からの着信を知らせる。一方、停電時は、実線で示すように、外線１からの着信信号がリンガ４に流れ、ブザー５を鳴らし、また、ダイオード６を経由して、ＬＥＤ７１を点灯させる。このように、停電時には、主装置の電源を使用しなくとも、着信表示素子を点灯させることができ、そして、通電時に使用する着信表示素子を、停電時にも使用するため、図２に示すように、複数の着信表示素子を必要とせず、そして、着信表示部７における着信表示素子の占める面積を小さくすることができる等、メリットは大きい。
【００１７】
なお、本実施例の停電機能付ボタン電話機が使用されるシステムとして、バス形を説明したが、スター形システム等であっても、同様に使用することができる。
【００１８】
【発明の効果】
本発明によれば、着信表示素子を１組とすることができ、着信表示部の面積を広くする必要がない停電機能付ボタン電話機を得ることができる。
【図面の簡単な説明】
【図１】実施例の停電機能付ボタン電話機の回路の説明図。
【図２】実施例の停電機能付ボタン電話機の着信表示部の説明図。
【図３】停電機能付電話機等を使用するバス形システムの一例の説明図。
【図４】従来例の停電機能付ボタン電話機の回路の説明図。
【図５】従来例の停電機能付ボタン電話機の着信表示部の説明図。
【符号の説明】
１１  主装置
１２  パソコン
１２１  パソコンアダプタ
１３  標準電話機
１４  留守番機能及び停電機能付電話機
１５  デジタルコードレス電話子機
１５１  デジタルコードレスホン接続装置
１６  カラーＬＣＤ表示付留守番電話機
１６１  映像線
１６２  ＴＶアダプタ
１６３  カラーカメラドアホン
１７  ＦＡＸ装置
１７１  電話機アダプタ
１８  バス
２  通話回路
３  スイッチ
４  リンガ
５  ブザー
６  ダイオード
７  着信表示部
７１、７２  ＬＥＤ
８  ＬＥＤドライバー
【図１】
0003662742.tif 000002
【図２】
0003662742.tif 000003
【図３】
0003662742.tif 000004
【図４】
0003662742.tif 000005
【図５】
0003662742.tif 000006